(57)【要約】【課題】遮光作用を有する遮光フィンに生地を取着して意匠性を向上させ、或いは遮光フィンに対する当該生地の保持性を向上させた遮蔽装置を提供する。【解決手段】本発明の遮蔽装置として構成されるロールスクリーン１は、遮蔽材（スクリーン４）の巻き取り或いは巻き戻しにより開閉を可能とし、スクリーン４の巻き取り或いは巻き戻し可能に支持する巻取パイプ３と、巻取パイプ３を支持する枠体（取付フレーム２又は支持部材２ａ，２ｂ）と、巻取パイプ３の上方から入射する外光に対し遮光作用を有する遮光フィン９とを備える。遮光フィン９の少なくとも室内側面に生地１３が取着されている。また、本発明による別態様のロールスクリーン１では、遮光フィン９に対し、生地１３と生地１３を覆う透光性部材１４とが取着されている。【選択図】図１
2017201115.tif 000002
【特許請求の範囲】
【請求項１】
遮蔽材の開閉を可能とする遮蔽装置であって、
前記遮蔽材を開閉可能に支持する支持手段と、
前記支持手段を支持する枠体と、
前記支持手段の上方から入射する外光に対し遮光作用を有し、少なくとも室内側面に生地が取着されている遮光フィンと、
を備えることを特徴とする遮蔽装置。
【請求項２】
前記遮光フィンは、当該遮蔽装置の前後方向中心より後方で前記枠体に支持されていることを特徴とする、請求項１に記載の遮蔽装置。
【請求項３】
前記遮光フィンは、当該遮蔽装置の前後方向中心より前方で前記枠体に支持されていることを特徴とする、請求項１に記載の遮蔽装置。
【請求項４】
前記生地は、前記遮光フィンの室内側面にも取着されていることを特徴とする、請求項１から３のいずれか一項に記載の遮蔽装置。
【請求項５】
前記生地は、前記遮光フィンの面に沿って着脱可能に取着されていることを特徴とする、請求項１から４のいずれか一項に記載の遮蔽装置。
【請求項６】
遮蔽材の開閉を可能とする遮蔽装置であって、
前記遮蔽材を開閉可能に支持する支持手段と、
前記支持手段を支持する枠体と、
前記支持手段の上方から入射する外光に対し遮光作用を有する遮光フィンとを備え、
前記遮光フィンに対し、生地と前記生地を覆う透光性部材とが取着されていることを特徴とする遮蔽装置。
【請求項７】
前記透光性部材は、透明シートからなることを特徴とする、請求項６に記載の遮蔽装置。
【請求項８】
前記生地は前記遮光フィンに対し所定箇所で接着され、前記透光性部材は前記遮光フィンに対し着脱可能に保持されていることを特徴とする、請求項６又は７に記載の遮蔽装置。
【請求項９】
前記生地は前記遮光フィンに対し所定箇所で接着されるとともに、前記透光性部材は前記遮光フィン又は前記生地に対し接着されていることを特徴とする、請求項６又は７に記載の遮蔽装置。
【請求項１０】
前記透光性部材は、前記生地を部分的に又は全体的に挟み込むように一体化されて、前記遮光フィンに対し着脱可能に保持されていることを特徴とする、請求項６又は７に記載の遮蔽装置。
【請求項１１】
前記透光性部材は、前記生地を部分的に又は全体的に挟み込むように一体化されて、前記遮光フィンに対し取着されていることを特徴とする、請求項６又は７に記載の遮蔽装置。
【発明の詳細な説明】
【技術分野】
【０００１】
本発明は、遮蔽材の開閉を可能とする遮蔽装置に関する。
【背景技術】
【０００２】
従来、遮蔽材の開閉を可能とする遮蔽装置として、ロールスクリーンや横型ブラインド、たくし上げカーテン、プリーツスクリーン等がある。
【０００３】
例えば、ロールスクリーンは、枠体（取付フレーム等）により巻取パイプを支持し、スクリーンの上縁部を巻取軸に取着して垂下させ、遮蔽材（スクリーン）の下縁部に錘部材を設けておくことで、巻取軸によってスクリーンの巻取り又は巻戻しを行うことにより室内への採光量を調節可能に構成される。
【０００４】
そこで、スクリーンを巻き取る巻取パイプと、この巻取パイプを支持する枠体の下面との間の隙間を防止するために、枠体の下面に基端縁を回動可能に支持して巻取軸の周面上に垂下させる隙間防止部材を設ける技法が開示されている（例えば、特許文献１参照）。
【先行技術文献】
【特許文献】
【０００５】
【特許文献１】実公平４−４８３１６号公報
【発明の概要】
【発明が解決しようとする課題】
【０００６】
前述した特許文献１に開示される技法では、当該隙間防止部材により巻取パイプと枠体（取付フレーム等）の下面との間の隙間を塞ぐことができるため、スクリーンを下降させて遮蔽状態としているときの遮光性を高めることができる点で有効である。
【０００７】
しかしながら、当該隙間防止部材を視認したときに意匠性の観点で改善の余地がある。
【０００８】
特に、遮蔽装置を正面視したときの意匠性を向上させるよう当該隙間防止部材に所定の生地を取着したいとする要望もある。
【０００９】
また、正面視に限らず、当該隙間防止部材に相当する遮光フィンに所定の生地を取着する際には、当該生地の保持性を高め、生地ずれが生じにくいものとする工夫が必要となる。特に、所定の生地を取着した当該隙間防止部材の配送時、或いは当該隙間防止部材を備える遮蔽装置の配送時に衝撃が生じたり、遮蔽装置の施工時に、所定の生地を取着した当該隙間防止部材に触れてしまったりすると生地ずれが生じてしまうことがある。更には、施工後でも、当該生地の取着が経時変化で重力に負けて弛んでしまい、シワが生じてしまうことも起こりうる。
【００１０】
本発明の目的は、上述の問題に鑑みて、遮光作用を有する遮光フィンに生地を取着して意匠性を向上させ、或いは遮光フィンに対する当該生地の保持性を向上させた遮蔽装置を提供することにある。
【課題を解決するための手段】
【００１１】
本発明の遮蔽装置は、遮蔽材の開閉を可能とする遮蔽装置であって、前記遮蔽材を開閉可能に支持する支持手段と、前記支持手段を支持する枠体と、前記支持手段の上方から入射する外光に対し遮光作用を有し、少なくとも室内側面に生地が取着されている遮光フィンと、を備えることを特徴とする。
【００１２】
また、本発明の遮蔽装置において、前記遮光フィンは、当該遮蔽装置の前後方向中心より後方で前記枠体に支持されていることを特徴とする。
【００１３】
また、本発明の遮蔽装置において、前記遮光フィンは、当該遮蔽装置の前後方向中心より前方で前記枠体に支持されていることを特徴とする。
【００１４】
また、本発明の遮蔽装置において、前記生地は、前記遮光フィンの室内側面にも取着されていることを特徴とする。
【００１５】
また、本発明の遮蔽装置において、前記生地は、前記遮光フィンの面に沿って着脱可能に取着されていることを特徴とする。
【００１６】
更に、本発明による別態様の遮蔽装置は、遮蔽材の開閉を可能とする遮蔽装置であって、前記遮蔽材を開閉可能に支持する支持手段と、前記支持手段を支持する枠体と、前記支持手段の上方から入射する外光に対し遮光作用を有する遮光フィンとを備え、前記遮光フィンに対し、生地と前記生地を覆う透光性部材とが取着されていることを特徴とする。
【００１７】
また、本発明による別態様の遮蔽装置において、前記透光性部材は、透明シートからなることを特徴とする。
【００１８】
また、本発明による別態様の遮蔽装置において、前記生地は前記遮光フィンに対し所定箇所で接着され、前記透光性部材は前記遮光フィンに対し着脱可能に保持されていることを特徴とする。
【００１９】
また、本発明による別態様の遮蔽装置において、前記生地は前記遮光フィンに対し所定箇所で接着されるとともに、前記透光性部材は前記遮光フィン又は前記生地に対し接着されていることを特徴とする。
【００２０】
また、本発明による別態様の遮蔽装置において、前記透光性部材は、前記生地を部分的に又は全体的に挟み込むように一体化されて、前記遮光フィンに対し着脱可能に保持されていることを特徴とする。
【００２１】
また、本発明による別態様の遮蔽装置において、前記透光性部材は、前記生地を部分的に又は全体的に挟み込むように一体化されて、前記遮光フィンに対し取着されていることを特徴とする。
【発明の効果】
【００２２】
本発明によれば、遮光作用を有する遮光フィンの少なくとも室内側面に生地を取着することで、その意匠性を向上させることができる。特に、遮光フィンに対し正面視で視認できる領域に取着した生地は外光の直射が防止されるため、当該生地の色褪せ（退色）を抑制できる。
【００２３】
また、本発明によれば、遮光フィンに取り付ける生地の前面に透光性部材（典型的には透明シート）を取着することにより、遮光フィンに取り付ける生地の厚みに依らずその取着を安定化させることができ、生地ずれを抑制することができる。そして、遮蔽装置として構成されるロールスクリーンにおいては、スクリーンと遮光フィンに取着した生地との一体感を保つことができるようにして、意匠性を向上させることができる。
【００２４】
更に、遮光フィンに取り付ける生地の前面に透光性部材を取着することにより、当該透光性部材が生地に対する保護作用を生じさせるため、当該透光性部材に汚れが生じた場合でも、生地が汚れる場合と比較して、拭き取り等で容易に清掃でき、メンテナンス性が向上する。
【００２５】
更に、遮光フィンに対して生地を接着してから透光性部材を接着するか、或いは遮光フィンに設けられる突起片で保持するよう挿入することで、生地ずれをより抑制できるようになる。
【００２６】
また、遮光フィンに対して生地を取着するために、透光性部材で当該生地を挟み込むように一体化させてから、遮光フィンに設けられる突起片で保持するよう挿入することで、生地ずれを抑制するとともに、その取付性を向上させることができる。
【図面の簡単な説明】
【００２７】
【図１】本発明による第１実施形態の遮蔽装置としてのロールスクリーンの概略構成を示す正面図である。
【図２】本発明による第１実施形態の遮蔽装置としてのロールスクリーンの概略構成を示す側面透視図である。
【図３】本発明による第１実施形態の遮蔽装置としてのロールスクリーンにおける一実施例の遮光フィンの構成を示す側面図である。
【図４】（ａ）,（ｂ）は、それぞれ本発明による第１実施形態の遮蔽装置としてのロールスクリーンにおける一実施例の遮光フィンの動作を説明する側面図である。
【図５】（ａ），（ｂ），（ｃ）は、それぞれ本発明による第１実施形態の遮蔽装置としてのロールスクリーンにおける一実施例の遮光フィンの動作例を個別に説明する側面図である。
【図６】（ａ），（ｂ），（ｃ）は、それぞれ本発明による第２実施形態の遮蔽装置としてのロールスクリーンの構成と、遮光フィンの動作を説明する側面図である。
【図７】本発明による第３実施形態の遮蔽装置としてのロールスクリーンの概略構成を示す側面透視図である。
【図８】（ａ）,（ｂ）は、それぞれ本発明による第４及び第５実施形態の遮蔽装置としてのロールスクリーンにおける一実施例の遮光フィンの概略構成を示す側面図である。
【図９】（ａ）,（ｂ）は、それぞれ本発明による第６及び第７実施形態の遮蔽装置としてのロールスクリーンにおける一実施例の遮光フィンの概略構成を示す側面図である。
【図１０】本発明による第８実施形態の遮蔽装置としてのロールスクリーンにおける一実施例の遮光フィンと、取着される生地及び透光性部材を示す斜視図である。
【図１１】本発明による第８実施形態の遮蔽装置としてのロールスクリーンにおける一実施例の遮光フィンの構成を示す側面図である。
【図１２】（ａ）乃至（ｆ）は、本発明による第８実施形態の遮蔽装置としてのロールスクリーンにおける一実施例の遮光フィンに関する生地及び透光性部材の取り付け方法を示す図である。
【図１３】（ａ），（ｂ），（ｃ）は、それぞれ本発明による第８実施形態の遮蔽装置としてのロールスクリーンにおける他の実施例の遮光フィンに関する構成を示す側面図である。
【図１４】本発明による第９実施形態の遮蔽装置としてのロールスクリーンにおける一実施例の遮光フィンと、取着される生地及び透光性部材を示す斜視図である。
【図１５】（ａ），（ｂ），（ｃ）は、それぞれ本発明による第９実施形態の遮蔽装置としてのロールスクリーンにおける典型的な実施例の透光性部材の構成を示す側面図である。
【発明を実施するための形態】
【００２８】
以下、図面を参照して、本発明による各実施形態の遮蔽装置としてのロールスクリーン１を説明する。尚、本願明細書中、図１に示す第１実施形態のロールスクリーン１の正面図に対して、図示上方及び図示下方をスクリーン４の吊り下げ方向に準じてそれぞれ上方向（又は上側）及び下方向（又は下側）と定義し、図示左方向をロールスクリーン１の左側、及び、図示右方向をロールスクリーン１の右側と定義して説明する。また、以下に説明する例では、図１に示すロールスクリーン１の正面図に対して、視認する側を前側（又は室内側）、その反対側を後側（又は室外側）とし、ロールスクリーン１の前後方向と称するときは、図１の正面図における図示面に対して垂直な方向を云う。
【００２９】
〔第１実施形態〕
（全体構成）
まず、図１及び図２を参照して、本発明による一実施形態の遮蔽装置としてのロールスクリーン１の構成を説明する。図１は、本発明に係るロールスクリーン１の概略構成を示す正面図であり、図２は、本発明に係るロールスクリーン１の側面透視図である。
【００３０】
図１に示すロールスクリーン１では、取付フレーム２の両端に支持部材２ａ，２ｂが固定され、その支持部材２ａ，２ｂには軸部材１１が固定されており、この軸部材１１から延びる固定軸（図示せず）によって、支持部材２ａ，２ｂ間に円筒状の巻取パイプ３が回転可能に支持される。取付フレーム２は、ブラケット６により取着面に固定される。各支持部材２ａ，２ｂは、サイドカバー１０によって収容され、その意匠性と、遮光フィン９の回動動作に関する機能性を向上させている。
【００３１】
巻取パイプ３の右端部には操作プーリー８が設けられ、この操作プーリー８に掛回される無端状の操作コード７が垂下されている。本例では、この操作コード７をボールチェーンで構成し、このボールチェーンが掛回される操作プーリー８の表面を、そのボールチェーンのボール部に適合する形状の凹凸を有するように構成している。そして、操作コード７の操作により巻取パイプ３を回転操作可能としている。また、ボールチェーンで構成した操作コード７は、コード連結部材７ａによりコード端部が連結されて無端状となっている。尚、操作コード７を紐状とし、この操作コード７が掛回される操作プーリー８の表面を高摩擦性の表面形状としてもよい。
【００３２】
巻取パイプ３は、スクリーン４の一端を取着してスクリーン４を巻き取り、又は巻き戻し可能に吊下支持している。スクリーン４の他端は、錘部材として機能するウェイトバー５に取着されている。従って、スクリーン４はウェイトバー５の重量に基づいて張設される。尚、本実施形態の例では、スクリーン４は巻取パイプ３の室外側から垂下されている（図２参照）。
【００３３】
そして、操作コード７を操作して巻取パイプ３をスクリーン巻取り方向へ回転させるとウェイトバー５が上昇し、巻取パイプ３をスクリーン巻戻し方向へ回転させるとウェイトバー５が下降する。尚、ボールチェーンで構成した操作コード７上には移動制限部材１２を取着することができ、この移動制限部材１２により操作プーリー８等に当接させてその回転を停止させることができ、ウェイトバー５の上限位置が定める形態とすることもできる。
【００３４】
また、巻取パイプ３内において、その左端側にはスクリーン４の巻上時の操作力を軽減するスプリングモーター、右端側にはスクリーン４の自重降下を防止するストッパー置等が収容されている（図示せず）。
【００３５】
ここで、本発明に係るロールスクリーン１では、所定の生地１３を容易に取着可能とした構造を有する遮光フィン９が取付フレーム２の前側（正面側）に取着され、巻取パイプ３と取付フレーム２との間で生じる隙間からの光漏れを効果的に遮蔽するようになっている。図２に示すように、詳細は後述するが、取付フレーム２の正面側に設けられている軸受部２０に遮光フィン９の軸部９１が係合しており、これにより遮光フィン９は、取付フレーム２の前側（正面側）で所定の範囲内で回動可能に支持される。以下、本実施形態のロールスクリーン１における一実施例の遮光フィン９について詳細に説明する。
【００３６】
（遮光フィンの構成）
図３には、本実施形態のロールスクリーン１における一実施例の遮光フィン９の構成を示している。
【００３７】
図３を参照するに、遮光フィン９は、全体として略Ｌ字状の断面形状を有しており、取付フレーム２の前側（正面側）で回動可能に支持される。遮光フィン９は遮光性の高い合成樹脂やアルミニウム等により形成され、巻取パイプ３の上部から入射する外光を遮蔽するようになっており、尚且つ、正面視したときの意匠性を向上させるために、遮光フィン９の前面側には生地１３を取着できるようになっている。
【００３８】
そして、遮光フィン９の左右方向幅は、取付フレーム２の左右方向幅よりもわずかに短い構成となっており、例えば遮光フィン９が合成樹脂で形成されているときに熱膨張等で左右方向幅が変化しても、スムーズに回動可能に支持されるようになっている。
【００３９】
取付フレーム２の正面下方には、その長手方向に延在する略Ｃ字断面形状の軸受部２０が形成されている。この軸受部２０に遮光フィン９の軸部９１が係合しており、これにより遮光フィン９は、取付フレーム２の正面側で回動可能に支持される。取付フレーム２の長手方向の両端部には支持部材２ａ，２ｂが取着されている。
【００４０】
より具体的には、軸受部２０は、取付フレーム２の底部から上方に延びる回動規制片２０ａの先端に折曲軸２０ｆを形成し、遮光フィン９の軸部９１を支持可能にしている。回動規制片２０ａは、遮光フィン９の下方への回動を規制する機能を有する。また、取付フレーム２の正面における軸受部２０の上方には、遮光フィン９の上方への回動を規制する回動規制片２０ｂが形成されている。図示する例では、回動規制片２０ａは取付フレーム２の本体正面から前方に突出する略Ｃ字状に形成され、回動規制片２０ｂは後方に突出する略板状に形成されている。そして、遮光フィン９の軸部９１が軸受部２０に支持されている状態では、遮光フィン９の上下方向への回動が規制され、遮光フィン９をどのように回動させても正面方向へ軸受部２０から外れないようになっている。
【００４１】
遮光フィン９は、その概略構成として、先端に略Ｃ字状の軸部９１を有し取付フレーム２の前側面から前方へ長さａで屈曲して突出する支持板部９３と、この支持板部９３から下方へ長さｂで延びる遮蔽板部９４とにより、全体として略Ｌ字状の断面形状を有し、スクリーン４（或いは後述するウェイトバー５）との干渉による衝突力や接触音を回避又は緩和するよう複曲面形状の部材（単一部材でも復号部材でもよい）で形成されている。
【００４２】
より具体的には、支持板部９３は概ね略Ｌ字状に屈曲した形状を有し、その先端に略Ｃ字状の軸部９１が形成されている。軸部９１は軸受部２０における折曲軸２０ｆによって回動可能に係止される部位である。軸部９１の先端は鋭角に屈折した略鉤形状で形成され、軸受部２０に対して空間的余裕を持たせた状態で係合させることで、遮光フィン９が軸受部２０から外れにくくするとともに、遮光フィン９の回動自由度を高めている。
【００４３】
一方、このように回動自由度を高めた態様で遮光フィン９の軸部９１を軸受部２０に係止させると、遮光フィン９と回動規制片２０ｂの回動干渉により不快な干渉音（接触音）を生じさせることから、軸部９１には、厚みを変化させ回動範囲で肉厚を持たせた曲部９２を形成している。
【００４４】
また、支持板部９３の先端に設けられる軸部９１の付け根近傍には、当接部９７が形成されている。当接部９７は、詳細は後述するが回動規制片２０ｂと当接することで、遮光フィン９の上方への回動を規制する部位である。
【００４５】
このような軸部９１の形状とすることで、遮光フィン９が軸受部２０から外れにくくするとともに、ガタツキを抑制してその干渉音を軽減させつつ遮光フィン９の回動を許容するものとなっている。これにより、当接部９７と回動規制片２０ｂとの回動干渉に起因する不快な干渉音（接触音）も無視できるほど軽減させることができる。
【００４６】
また、支持板部９３の先端に設けられている軸部９１の下方には、突起部９８が形成されており、突起部９８は軸部９１と並んで支持板部９３から突出している。突起部９８は、取付フレーム２における軸受部２０の回動規制片２０ａと当接する位置で遮光フィン９の下方への回動を規制する部位である。特に、突起部９８の先端は図示するように凹凸段差を持つ形状で構成され、回動規制片２０ａとの当接時の接触音や衝突力を緩和するよう作用する機能を持たせている。尚、本例の突起部９８は支持板部９３の左右方向へ延在して突出するよう形成されているが、支持板部９３の左右方向へ部分的に突出する形態でもよい。
【００４７】
そして、この支持板部９３から下方へ延びる遮蔽板部９４の下端には、曲面形状の干渉緩和部９５が形成されている。干渉緩和部９５は、スクリーン４（或いは後述する実施形態ではウェイトバー５）との接触が有るときでも、その接触音や衝突力を緩和するようスクリーン４（又はウェイトバー５）から遠ざかる方向に反り返る形状を有する。
【００４８】
また、遮蔽板部９４の前面上端及び下端には、それぞれ略鉤断面形状で突出する突起片９６ａ，９６ｂが設けられ、生地１３の上端及び下端を係合させる凹部を形成している。特に、遮蔽板部９４の前面上端には、突起片９６ａの内側に爪部９９が形成されており、突起片９６ａ及び爪部９９は生地押さえとして機能する掴持手段として構成される。一方、遮蔽板部９４の前面下端における突起片９６ｂは、生地１３のバタツキを抑えるための部位であり、バタツキを抑制且つ圧接しない凹部が形成される。
【００４９】
図４（ａ），（ｂ）は、本実施形態のロールスクリーン１における一実施例の遮光フィン９の動作を説明する側面図であり、特に、図４（ａ）には遮光フィン９の下側回動規制に関して、図４（ｂ）には遮光フィン９の上側回動規制に関して図示している。
【００５０】
図４（ａ）に示すように、支持板部９３の先端に設けられている軸部９１の下方には、突起部９８が形成されており、突起部９８は軸部９１と並んで支持板部９３から突出している。遮光フィン９は、軸部９１により軸受部２０における折曲軸２０ｆによって回動可能に係止される。遮光フィン９に設けられる突起部９８は、取付フレーム２における軸受部２０の回動規制片２０ａと当接する位置で遮光フィン９の下方への回動を規制する機能を有する。このとき、遮光フィン９は、その基本姿勢として、遮光フィン９の遮蔽板部９４の長手方向が取付フレーム２の前後方向に対しほぼ垂直（鉛直方向への垂下）になるように規制している。このように、遮光フィン９をロールスクリーン１の取付フレーム２に取り付けたときの基本姿勢として遮光フィン９の遮蔽板部９４の長手方向が取付フレーム２の前後方向に対しほぼ垂直（鉛直方向への垂下）となるため、その意匠性を向上させている。
【００５１】
また、図４（ｂ）に示すように、遮光フィン９に設けられる軸部９１の付け根近傍には、当接部９７が形成されている。当接部９７は、当該基本姿勢から遮光フィン９が回動した際に回動規制片２０ｂと当接することで遮光フィン９の上方への回動を規制する部位である。これにより、遮光フィン９がブラケット６やその取付面に対し非当接となるようになっている。このように、遮光フィン９をロールスクリーン１の取付フレーム２に取り付けた場合の操作性を損なうことなく、その品質を維持することができる。
【００５２】
図５（ａ），（ｂ），（ｃ）は、それぞれ本実施形態のロールスクリーン１における一実施例の遮光フィン９の動作例を個別に説明する側面図である。
【００５３】
図５（ａ）に示すように、本実施例の遮光フィン９は、取付フレーム２の前側面から前方へ長さａで屈曲して突出する支持板部９３と、支持板部９３から下方へ長さｂで延びる遮蔽板部９４とにより、全体として略Ｌ字状の断面形状を有している。
【００５４】
遮蔽板部９４の長さｂは、取付フレーム２と巻取パイプ３との間の隙間から生じる光漏れを防ぐ長さで形成されている。支持板部９３の長さａは、操作コード７の操作に悪影響を与えない範囲に設定されている。仮に、本実施例の遮光フィン９に操作コード７が接触するように操作する場合でも、遮光フィン９は回動するため操作負担を生じさせないようになっている。
【００５５】
また、図５（ｂ）に示すように、本実施例の遮光フィン９を、スクリーン４の最大巻取径Ｓが比較的小さいロールスクリーン１に適用する場合では、スクリーン４と遮光フィン９とが接触することが無く、その基本姿勢として、遮光フィン９の遮蔽板部９４の長手方向が取付フレーム２の前後方向に対しほぼ垂直な状態（鉛直方向への垂下となる状態）を維持しつつ遮光機能を保持できる。
【００５６】
一方、図５（ｃ）に示すように、本実施例の遮光フィン９を、スクリーン４の最大巻取径Ｓが比較的大きいロールスクリーン１に適用する場合では、スクリーン４と遮光フィン９とが接触する場合でも、スクリーン４の巻太りに倣って遮光フィン９を回動させることができ、その遮光機能を保持できる。
【００５７】
このように、遮光フィン９の前面には生地１３が取着され、正面視したときの意匠性を向上させている。また、遮光フィン９は、遮光性の高い合成樹脂やアルミニウム等により形成され、巻取パイプ３の上部から入射する外光を遮蔽するようになっており、生地１３が、外光からの直射を受けないようになっている。このため、生地１３の色褪せ（退色）を抑制できることから、その意匠性を長期にわたり維持できる。
【００５８】
〔第２実施形態〕
図６（ａ），（ｂ），（ｃ）は、それぞれ本発明による第２実施形態の遮蔽装置としてのロールスクリーン１の構成と、遮光フィン９の動作を示している。遮光フィン９の形状は、前述した第１実施形態のものと同様である。
【００５９】
図６（ａ）に示す例では、本実施例の遮光フィン９側に巻取パイプ３からスクリーン４を垂下し、遮光フィン９と巻取パイプ３との間にウェイトバー５が位置する例である。このような場合、本実施例の遮光フィン９には、支持板部９３から下方へ延びる遮蔽板部９４の下端に曲面形状の干渉緩和部９５が形成されているため、ウェイトバー５との干渉で引っ掛かりを生じることがない。
【００６０】
また、図６（ｂ）に示すように、ウェイトバー５の上限位置が取付フレーム２へ当接する位置に設定されている場合でも、遮光フィン９における干渉緩和部９５から遮蔽板部９４にかけてウェイトバー５がスムーズに移動して遮光フィン９が回動するため、その操作性を損ねることが無い。また、図４（ｂ）を参照して説明したように、遮光フィン９に設けられる軸部９１の付け根近傍には、当接部９７が形成されており、当接部９７は、当該基本姿勢から遮光フィン９が回動した際に回動規制片２０ｂと当接することで遮光フィン９の上方への回動を規制している。これにより、遮光フィン９がブラケット６やその取付面に対し非当接となり、ウェイトバー５の衝突で遮光フィン９が破損するおそれもない。従って、遮光フィン９をロールスクリーン１の取付フレーム２に取り付けた場合の操作性を損なうことなく、その品質を維持することができる。
【００６１】
また、図６（ｃ）に示すように、遮光フィン９の遮蔽板部９４の長手方向が取付フレーム２の前後方向に対しほぼ垂直な状態（鉛直方向への垂下となる状態）となる基本姿勢を常に維持させたい場合には、操作コード７上に取着した移動制限部材１２の位置を調整することで、この移動制限部材１２により操作プーリー８等に当接させてその回転を停止させ、ウェイトバー５の上限位置を定めることができる。これにより、遮光フィン９がブラケット６やその取付面に対し非当接となり、ウェイトバー５の衝突で遮光フィン９が破損するおそれもない。そして、常時、遮光フィン９の遮蔽板部９４の長手方向が取付フレーム２の前後方向に対しほぼ垂直な状態（鉛直方向への垂下となる状態）となる基本姿勢を維持させることができ、その意匠性及び品質を維持することができる。
【００６２】
本実施形態においても、遮光フィン９の前面の遮蔽板部９４には生地１３が取着され、正面視したときの意匠性を向上させている。また、遮光フィン９は、遮光性の高い合成樹脂やアルミニウム等により形成され、巻取パイプ３の上部から入射する外光を遮蔽するようになっており、生地１３が、外光からの直射を受けないようになっている。このため、生地１３の色褪せ（退色）を抑制できることから、その意匠性を長期にわたり維持できる。
【００６３】
従って、第１及び第２実施形態のロールスクリーン１の例として説明した図５及び図６に示されるように、図２に示す一実施例の遮光フィン９は、取付フレーム２や支持部材２ａ，２ｂへの取り付けを含み、例えば横型ブラインド、たくし上げカーテン、プリーツスクリーンのヘッドボックスなど、種々の遮蔽装置の枠体に取り付けることが可能であり、その意匠性を向上させることができる。
【００６４】
〔第３実施形態〕
図７は、本発明による第３実施形態の遮蔽装置としてのロールスクリーン１の概略構成を示す側面透視図である。第３実施形態のロールスクリーン１は、その基本構成として前述した図２とほぼ同様であるが、図３に示す構造を有する遮光フィン９を取付フレーム２の背面側（室外側）から支持させ、更に生地１３を遮光フィン９の遮蔽板部９４の前面側（正面側）に取着している点で相違している。遮光フィン９に対する生地１３の取着方法として粘着テープや粘着剤で取着する方法や、面ファスナー等を用いて着脱可能に取着する方法などがある。遮光フィン９は、遮光性の高い合成樹脂やアルミニウム等により形成され、巻取パイプ３の上部から入射する外光を遮蔽するようになっている。
【００６５】
この第３実施形態のロールスクリーン１のように、遮光性の高い遮光フィン９を取付フレーム２の背面側（室外側）から支持させ、更に生地１３を遮光フィン９の遮蔽板部９４の前面側（正面側）に取着することで、その正面視の意匠性を向上させることができ、生地１３が外光からの直射を受けないようになっている。このため、生地１３の色褪せ（退色）を抑制できることから、その意匠性を長期にわたり維持できる。尚、遮光フィン９の遮蔽板部９４の前面に取着する生地１３は、遮光フィン９の下端まで（或いは下端を折り返して遮蔽板部９４の後面まで）、延在するよう取着してもよく正面視の意匠性を向上させる作用がある範囲であれば、遮蔽板部９４の前面でも上下方向に短い範囲でもよい。更に、遮光フィン９の前面全体に亘って取着する場合だけでなく、部分的に取着するものでもよい。
【００６６】
〔第４及び第５実施形態〕
図８（ａ）,（ｂ）は、それぞれ本発明による第４及び第５実施形態の遮蔽装置としてのロールスクリーン１における一実施例の遮光フィン９の概略構成を示す側面図である。
【００６７】
図８（ａ），（ｂ）に示す第４及び第５実施形態のロールスクリーン１は、いずれも第３実施形態のロールスクリーン１に対する一変形例として構成され、図８（ａ）に示す第４実施形態と、図８（ｂ）に示す第５実施形態との違いは、概ね遮光フィン９に対する生地１３の取着方法の違いのみである。即ち、図８（ａ）に示す第４実施形態では、生地１３が遮光フィン９の前面側上下にそれぞれ設けられた突起片９６ａ，９６ｂによって係止されている。一方、図８（ｂ）に示す第５実施形態では、生地１３が遮光フィン９の前面に粘着テープや粘着剤、或いは面ファスナー等を用いて取着されている。
【００６８】
図８（ａ），（ｂ）に示す第４及び第５実施形態のロールスクリーン１は、いずれも遮光フィン９は、遮光性の高い合成樹脂やアルミニウム等により形成され、巻取パイプ３の上部から入射する外光を遮蔽するようになっており、遮光フィン９の丸軸状の軸部９１が取付フレーム２の背面側（室外側）の軸受部２０で回動可能に支持され、更に生地１３が遮光フィン９の前面側（正面側）に取着される。
【００６９】
ここで、図８（ａ），（ｂ）に示す第４及び第５実施形態のロールスクリーン１では、図７に示す第３実施形態のロールスクリーン１と比較して、巻取パイプ３により巻き取り、或いは巻き戻されるスクリーン４と遮光フィン９とが、常時でなくともよいが基本的に当接する位置となるよう遮光フィン９が取付フレーム２に支持されている点で相違している。巻取パイプ３から垂下されるスクリーン４は、室外側でも室内側でもよく、上述したように、操作コード７上に取着した移動制限部材１２の位置を調整することで、この移動制限部材１２により操作プーリー８等に当接させてその回転を停止させ、ウェイトバー５の上限位置を定めることができる。即ち、巻取パイプ３によりスクリーン４の巻き太りに応じて遮光フィン９が回動し、その密着を維持して遮光性並びに密封性を高めている。尚、遮光フィン９の回動がスムーズになるよう、遮光フィン９の下端部には干渉緩和部９５が設けられている。干渉緩和部９５は、スクリーン４（或いはウェイトバー５）との接触が有るときでも、その接触音や衝突力を緩和するようスクリーン４（又はウェイトバー５）から遠ざかる方向に反り返る形状を有する。
【００７０】
このように構成した第４及び第５実施形態のロールスクリーン１においても、遮光性の高い遮光フィン９を取付フレーム２の背面側（室外側）から支持させ、更に生地１３を遮光フィン９の前面側（正面側）に取着することで、その正面視の意匠性を向上させることができ、生地１３が外光からの直射を受けないようになっている。このため、生地１３の色褪せ（退色）を抑制できることから、その意匠性を長期にわたり維持できる。
【００７１】
〔第６及び第７実施形態〕
図９（ａ）,（ｂ）は、それぞれ本発明による第６及び第７実施形態の遮蔽装置としてのロールスクリーン１における一実施例の遮光フィン９の概略構成を示す側面図である。
【００７２】
図９（ａ），（ｂ）に示す第６及び第７実施形態のロールスクリーン１は、それぞれ第４及び第５実施形態のロールスクリーン１に対する更なる変形例として構成され、遮光フィン９の前面及び後面に、それぞれ生地１３ａ，１３ｂが取着されている。
【００７３】
図９（ａ）に示す第６実施形態では、生地１３ａが遮光フィン９の前面に粘着テープや粘着剤、或いは面ファスナー等を用いて取着され、生地１３ｂが遮光フィン９の後面側上下にそれぞれ設けられた突起片９６ａ，９６ｂによって係止されている。
【００７４】
一方、図９（ｂ）に示す第７実施形態では、生地１３ａ，１３ｂがそれぞれ遮光フィン９の前面及び後面に粘着テープや粘着剤、或いは面ファスナー等を用いて取着されているが、生地１３ｂについては容易に着脱可能な面ファスナー等の取着方法を用いるのが好適である。
【００７５】
図９（ａ），（ｂ）に示す第６及び第７実施形態のロールスクリーン１はいずれも、第４及び第５実施形態と同様に、遮光フィン９が遮光性の高い合成樹脂やアルミニウム等により形成され、巻取パイプ３の上部から入射する外光を遮蔽するようになっており、遮光フィン９の丸軸状の軸部９１が取付フレーム２の背面側（室外側）の軸受部２０で回動可能に支持され、更に生地１３が遮光フィン９の前面側（正面側）に取着される。
【００７６】
このように構成した第６及び第７実施形態のロールスクリーン１においても、遮光性の高い遮光フィン９を取付フレーム２の背面側（室外側）から支持させ、更に生地１３ａを遮光フィン９の前面側（正面側）に取着することで、その正面視の意匠性を向上させることができ、生地１３ａが外光からの直射を受けないようになっている。このため、生地１３ａの色褪せ（退色）を抑制できることから、その意匠性を長期にわたり維持できる。
【００７７】
一方、生地１３ｂは、背面視の意匠性を向上させることができる。ただし、生地１３ｂは、外光からの直射を受けるため取りけることが容易なように着脱可能な取着方法とするのが好ましい。
【００７８】
このように、包括的には、本発明に係る各実施形態の遮蔽装置として構成されるロールスクリーン１は、遮蔽材（スクリーン４）の巻き取り或いは巻き戻しにより開閉を可能とし、スクリーン４の巻き取り或いは巻き戻し可能に支持する巻取パイプ３と、巻取パイプ３を支持する枠体（取付フレーム２又は支持部材２ａ，２ｂ）と、巻取パイプ３の上方から入射する外光に対し遮光作用を有する遮光フィン９とを備え、この遮光作用を有する遮光フィン９の少なくとも室内側面に、生地１３（又は１３ａ）を取着するようにした。
【００７９】
これにより、遮光作用を有する遮光フィン９の少なくとも室内側面に生地１３（又は１３ａ）を取着することで、その意匠性を向上させることができる。特に、遮光フィン９に対し正面視で視認できる領域に取着した生地１３（又は１３ａ）は外光の直射が防止されるため、当該生地１３の色褪せ（退色）を抑制できる。
【００８０】
〔第８実施形態〕
図１０は、本発明による第８実施形態の遮蔽装置としてのロールスクリーン１における一実施例の遮光フィン９と、取着される生地１３及び透光性部材１４を示す斜視図である。また、図１１は、図１０に示す一実施例の遮光フィン９の側面図である。
【００８１】
図１０及び図１１に示す遮光フィン９の本体の構成自体は、上述した図３と同様であるが、この遮光フィン９の本体に、生地１３及びシート状の透光性部材１４が重ねて取り付けられる点で上述した各実施形態の例とは相違している。
【００８２】
即ち、遮光フィン９の本体は、全体として略Ｌ字状の断面形状を有し、その先端に略Ｃ字状の軸部９１が形成されており、この軸部９１が上述した図１乃至図４に示す例と同様に、取付フレーム２の前側（正面側）で回動可能に支持される。尚、本実施形態を応用し取付フレーム２の後側（背面側）で回動可能に遮光フィン９の本体を支持するよう構成してもよい。
【００８３】
そして、図１１に示すように、遮光フィン９の本体は、取付フレーム２と巻取パイプ３との間の隙間から生じる光漏れを防ぐ長さで遮蔽板部９４が形成されており、この遮蔽板部９４の前面上端及び下端には、それぞれ略鉤断面形状で突出する突起片９６ａ，９６ｂが設けられ、生地１３の上端及び下端を係合させる凹部を形成している。特に、遮蔽板部９４の前面上端には、突起片９６ａの内側に爪部９９が形成されており、突起片９６ａ及び爪部９９は生地押さえとして機能する掴持手段として構成される。一方、遮蔽板部９４の前面下端における突起片９６ｂは、生地１３のバタツキを抑えるための部位であり、バタツキを抑制且つ圧接しない凹部が形成される。
【００８４】
このように構成される遮光フィン９の本体は、突起片９６ａ及び爪部９９、並びに、突起片９６ｂにより、生地１３を挟み込んで保持する構成となっている。しかしながら、遮光フィン９の配送時、或いは遮光フィン９を備えるロールスクリーン１の配送時に衝撃が生じたり、施工時に所定の生地を取着した遮光フィン９に触れてしまったりすると生地ずれが生じてしまうことがある。更には、施工後でも、当該生地の取着が経時変化で重力に負けて弛んでしまい、シワが生じてしまうことも起こりうる。特に、生地１３が薄地である場合には、このような生地ずれが生じやすくなる。
【００８５】
そこで、図１０及び図１１に示すように、遮光フィン９に対し、突起片９６ａ及び爪部９９、並びに、突起片９６ｂにより、生地１３を取り付ける際に、更に生地１３の表面（前面）に透光性の透光性部材１４が重ねて取り付けられる。透光性部材１４は、図示する例では、透明シート（例えば、硬質塩化ビニールシート）で構成される。このような透光性部材１４は、透光性とし完全に透明とするか、又は半透明のものとすることで、図１に示すようなスクリーン４と、遮光フィン９に取着した生地１３との一体感を保つことができるようにして、意匠性を向上させることができる。
【００８６】
本実施例に係る遮光フィン９に生地１３及び透光性部材１４を取り付ける際には、遮光フィン９の左右端部側から突起片９６ａ及び突起片９６ｂに挿通して取着することも可能であるが、遮光フィン９の正面側から取り付けるほうがより簡単に取着できる。例えば図１２（ａ）に示すように、まず突起片９６ａ及び爪部９９により生地１３の上端を係着させ、続いて生地１３の下端を突起片９６ｂにより形成される凹部に差し込む（図１２（ｂ）参照）。このように、簡単に遮光フィン９に生地１３を取り付けることができる（図１２（ｃ）参照）。更に、図１２（ｄ）に示すように、突起片９６ａ及び爪部９９により生地１３の前面から透光性部材１４の上端を係着させ、続いて透光性部材１４の下端を突起片９６ｂにより形成される凹部に差し込む（図１２（ｅ）参照）。このようにして、遮光フィン９に生地１３及び透光性部材１４を取り付けることができる（図１２（ｆ）参照）。
【００８７】
本実施例に係る遮光フィン９は、生地１３及び透光性部材１４の上端のみを係着させる構造となっているため、透光性部材１４により押さえ付けられ、生地１３に撓みが生じにくいものとなる。このため、生地ずれやシワの発生を抑制し意匠性を向上させることができる。そして、遮蔽板部９４の前面上端及び下端における突起片９６ａ，９６ｂにより、図４（ｂ）に示すような遮光フィン９の回動動作で上下方向に生地１３のずれが生じた場合でも、その機能及び意匠性を損なうことが無い。
【００８８】
特に、遮光フィン９に取り付ける生地１３の前面に透光性部材１４を重ねて取着することにより、遮光フィン９に取り付ける生地１３が薄いものであってもその取着を安定化させることができ、生地ずれを抑制することができる。
【００８９】
また、透光性部材１４の厚さも容易に調整することができるため、遮光フィン９に取り付け可能とする生地１３の厚さ等の制限を緩和させることができる。
【００９０】
更に、遮光フィン９に取り付ける生地１３の前面に透光性部材１４を取着することで、当該透光性部材１４が生地１３に対する保護作用を生じさせるため、当該透光性部材１４に汚れが生じた場合でも、生地１３が汚れる場合と比較して、拭き取り等で容易に清掃でき、メンテナンス性が向上するようになる。
【００９１】
尚、取付性の観点からは、遮光フィン９の上方のみに爪部９９を設けることが好ましいが、遮光フィン９に取り付ける生地１３及び透光性部材１４の保持性を向上させるために、図１３（ａ）に示すように、遮光フィン９の下方の突起片９６ｂ側にも爪部９９を設けることができる。この場合、遮光フィン９の上方及び下方で、それぞれ突起片９６ａ及び対応する爪部９９、並びに、突起片９６ｂ及び対応する爪部９９により、より強固に生地１３及び透光性部材１４を保持することができ、生地ずれをより抑制できる。尚、本例では、爪部９９を、遮光フィン９の左右方向のほぼ全長に亘って設ける例を示しているが、遮光フィン９の左右方向の部分的な適所に、爪部９９を設ける形態としてもよい。
【００９２】
或いは、図１３（ｂ）に示すように、遮光フィン９に対して生地１３を両面テープ等で接着してから、突起片９６ａ，９６ｂを利用して透光性部材１４を非接着で挿入することで、より強固に生地ずれをより抑制できるようにする構成としてもよい。
【００９３】
或いは、図１３（ｃ）に示すように、遮光フィン９に対して生地１３を両面テープ等で接着してから、更に透光性部材１４を両面テープ等で接着するようにして、より強固に生地１３及び透光性部材１４の保持性を向上させる構成としてもよい。この場合、図１３（ｃ）に例示しているように、突起片９６ａ，９６ｂや爪部９９を不要として生地１３及び透光性部材１４をそれぞれ接着する形態とすることができる。ただし、図１３（ａ），（ｂ）に例示するような突起片９６ａ，９６ｂ及び爪部９９を設けている遮光フィン９に対し、生地１３及び透光性部材１４をそれぞれ接着するものとすることができる。
【００９４】
尚、接着箇所は全体、上辺だけ、左右辺だけ、四隅だけなど、特定の箇所に限定する必要はない。また、透光性部材１４は生地１３に対して接着する場合の他、生地１３を押さえ付けた上で、遮光フィン９に対し接着する形態でもよい。
【００９５】
以上のように、本実施形態によれば、遮光フィン９に取り付ける生地１３の表面（前面）に透光性部材１４を取着することにより、遮光フィン９に取り付ける生地の厚みに制限を生じさせることなく、その取着を安定化させることができ、生地ずれやシワを抑制できるため、意匠性を向上させることができ、生地１３に対する保護作用でメンテナンス性が向上する。
【００９６】
〔第９実施形態〕
図１４は、本発明による第９実施形態の遮蔽装置としてのロールスクリーン１における一実施例の遮光フィン９と、取着される生地１３及び透光性部材１４を示す斜視図である。また、図１５（ａ），（ｂ），（ｃ）は、それぞれ本発明による第９実施形態の遮蔽装置としてのロールスクリーンにおける典型的な実施例の透光性部材１４の構成を示す側面図である。
【００９７】
第９実施形態は、上述した第８実施形態の変形例であり、遮光フィン９の本体の構成自体は、上述した図３と同様であるが、この遮光フィン９の本体に、生地１３及び透光性部材１４が重ねて取り付けられる点で上述した第８実施形態の例と同様である。
【００９８】
しかしながら、第８実施形態の例では、遮光フィン９の本体に対し、生地１３及び透光性部材１４をそれぞれ個別に取着することになるため（図１２を参照）、取付性の観点では、その取り付け負担が大きくなる場合もある。
【００９９】
そこで、第９実施形態では、図１４に示すように、透光性部材１４について、生地１３を部分的に又は全体的に挟み込むように一体化させて、遮光フィン９の本体に対し取着するようにしている。
【０１００】
特に、図１５（ａ）に示すように、シート状の透光性部材１４の一端を折り曲げて生地１３を部分的に挟み込むことや、図１５（ｂ）に示すように、シート状の透光性部材１４の一端を折り曲げて生地１３を全体的に挟み込むことで、透光性部材１４を、生地１３に対し一体化させることができる。これにより、遮光フィン９の本体に対し、突起片９６ａ，９６ｂを利用して透光性部材１４を生地１３とともに合わせて非接着で挿入し、保持させることができる。
【０１０１】
このように、第９実施形態では、遮光フィン９に対する生地１３及び透光性部材１４の取付性を向上させた上で、生地１３及び透光性部材１４の保持性を向上させ、生地１３の生地ずれを抑制できるようになる。
【０１０２】
また、図１５（ｃ）に示すように複数のシート状の透光性部材１４を利用して、生地１３を挟み込むことで一体化させることも可能である。更に、図１５（ａ），（ｂ），（ｃ）に示す各例において、適所で、透光性部材１４と生地１３とを接着して一体化させる形態とすることができる。
【０１０３】
また、第９実施形態において、一体化させた透光性部材１４及び生地１３を、上述した図１３（ａ）, （ｂ）,（ｃ）に例示したように、遮光フィン９の下方に爪部９９を追加して遮光フィン９の本体に対し挿入する形態としてもよいし、遮光フィン９に対し適所で接着する形態としてもよい。
【０１０４】
また、第８及び第９実施形態において、透光性部材１４及び生地１３を、遮光フィン９の本体の前面及び後面のいずれか一方、又は双方に対し、取着する形態としてもよい。
【０１０５】
以上、特定の実施形態の例を挙げて本発明を説明したが、本発明は前述の実施形態の例に限定されるものではなく、その技術思想を逸脱しない範囲で種々変形可能である。特に、遮光フィン９の軸部９１の形状・構造や、係止する方法はその一例を説明したにすぎず、様々な方法で支持させることができる。また、取付フレーム２に対し遮光フィン９の軸部９１で係止する位置は、取付フレーム２の前面又は背面に限らず、取付フレーム２の底面でもよい。
【０１０６】
また、遮光フィン９は、その好適例として取付フレーム２に対し回動可能とする例を説明したが、必ずしも回動しない形態とし、柔軟性のある遮光性の高い材料を用いてもよい。
【０１０７】
また、遮光フィン９の遮蔽板部９４の前面に取着する生地１３（又は１３ａ）は、遮光フィン９の下端まで（或いは下端を折り返して遮蔽板部９４の後面まで）、延在するよう取着してもよく正面視の意匠性を向上させる作用がある範囲であれば、遮蔽板部９４の前面でも上下方向に短い範囲でもよい。更に、遮光フィン９の前面全体に亘って取着する場合だけでなく、部分的に取着するものでもよい。
【０１０８】
そして、少なくとも前面に生地１３（又は１３ａ）を取着する遮光フィン９を利用可能な形態として、ロールスクリーン以外にも、横型ブラインド、たくし上げカーテン、プリーツスクリーン等がある。
【産業上の利用可能性】
【０１０９】
本発明によれば、遮光作用を有する遮光フィンに生地を取着して意匠性を向上させた遮蔽装置を構成することができるので、遮光性及び意匠性の両立が望まれる遮蔽装置の用途に有用である。
【符号の説明】
【０１１０】
１  ロールスクリーン
２  取付フレーム
２ａ，２ｂ  支持部材
３  巻取パイプ
４  スクリーン
５  ウェイトバー
９  遮光フィン
１０  サイドカバー
１３，１３ａ，１３ｂ  生地
１４  透光性部材
２０  軸受部
２０ａ，２０ｂ  回動規制片
９１  軸部
９２  曲部
９３  支持板部
９４  遮蔽板部
９５  干渉緩和部
【図１】
2017201115.tif 000003
【図２】
2017201115.tif 000004
【図３】
2017201115.tif 000005
【図４】
2017201115.tif 000006
【図５】
2017201115.tif 000007
【図６】
2017201115.tif 000008
【図７】
2017201115.tif 000009
【図８】
2017201115.tif 000010
【図９】
2017201115.tif 000011
【図１０】
2017201115.tif 000012
【図１１】
2017201115.tif 000013
【図１２】
2017201115.tif 000014
【図１３】
2017201115.tif 000015
【図１４】
2017201115.tif 000016
【図１５】
2017201115.tif 000017